(57)【要約】  本出願はスライダー及びジッパーを開示している。スライダー及びスライダーを有するジッパーであって、スライダーはプルタブ（２）と、プルタブボデイ（１）と、安全キャッチ（９）とを有し、プルタブボデイ（１）には上底板（５）と下底板（６）とが設けられ、上底板（５）には対応配置される後部リベットボディユニット（４）と前部リベットボディユニット（３）とが設けられ、プルタブ（２）が前部リベットボディユニット（３）に接触するまで回転した際、前部リベットボディユニット（３）がプルタブ（２）の側柱に接触することで、プルタブ（２）の反転を阻止する。前部リベットボディユニット（３）は回転するプルタブ（２）に付勢するから、プルタブ（２）が水平部を回転軸線としてスライダーの後端に跳ね返って、安全キャッチ（９）が下向きにロックされることで、ジッパーをロックし、ジッパーを相応的な位置に固定させ、プルタブ（２）の跳ね返りを実現する。
2021513896.tif 000002
【特許請求の範囲】
【請求項１】
プルタブと、プルタブボデイと、安全キャッチとを有するスライダーであって、前記プルタブボデイには上底板と下底板とが設けられ、前記上底板には対応配置される後部リベットボディユニットと前部リベットボディユニットとが設けられ、前記後部リベットボディユニットと前記前部リベットボディユニットとが装着室を形成し、前記プルタブが水平部と、前記水平部に接続される側柱とを有し、前記プルタブの水平部が前記装着室内に設けられるとともに、前記水平部自身の軸線に沿って回転し、前記安全キャッチがそれぞれ前記プルタブボデイと前記プルタブに接続されることでロックを実現できる前記スライダーにおいて、
前記プルタブが前記前部リベットボディユニットに接触するまで回転した時、前記前部リベットボディユニットが前記プルタブの側柱に接触して、前記プルタブの反転を阻止することを特徴とするスライダー。
【請求項２】
前記水平部の内端面には第１突起部が設けられ、前記第１突起部の上面から前記上底板までの間の距離が、前記装着室内の前記前部リベットボディユニットの上端面から前記上底板までの間の距離より大きいことを特徴とする請求項１に記載のスライダー。
【請求項３】
前記安全キャッチの前記前部リベットボディユニットに近接する側には、前記プルタブの回転を阻止するためのストッパが設けられ、前記水平部には、前記ストッパと係合する第２突起部が設けられることを特徴とする請求項２に記載のスライダー。
【請求項４】
前記ストッパは前記安全キャッチの軸方向に沿って配置されることを特徴とする請求項３に記載のスライダー。
【請求項５】
前記ストッパと前記安全キャッチとが一体として配置されることを特徴とする請求項４に記載のスライダー。
【請求項６】
ジッパーであって、テープと、エレメントと、蝶棒及び箱棒と、請求項１〜５のいずれか１項に記載のスライダーとを有することを特徴とするジッパー。
【発明の詳細な説明】
【技術分野】
【０００１】
本発明は服用品という技術領域に関わり、より具体的に、スライダー及び前記スライダーを有するジッパーに関わる。
本出願は２０１８年６月１５日にて中国特許庁に提出され、出願番号が２０１８１０６２０５２１.５であり、発明名称が「スライダー及びジッパー」である中国特許出願の優先権を主張して、その全ての内容は援用されることで本出願に結合される。
【背景技術】
【０００２】
ジッパーは服装適用される付属品であり、基本的にスライダー、テープ、エレメント、蝶棒及び箱棒などからなり、スライダーはジッパーの開閉の機能性作用だけではなく、さらに外観、使用の利便性などに影響するため、スライダーの構成設計の影響は極めて重要である。通常のスライダーは、例えば普通スライダー、レール型スライダー、列車型スライダー及びバネ型スライダーなどの、複数のタイプに分けられる。
【発明の概要】
【発明が解決しようとする課題】
【０００３】
バネ跳ね返り型スライダーの基本的な構成は、プルタブボデイ０１、安全キャッチ、プルタブ０２に分けられ、図１は従来技術におけるスライダーの模式図であり、バネヘッドプルタブ０２は図１の状態である場合、「ロック」状態にあり、即ちスライダーが容易に上下に移動できず、プルタブ０２が起立状態にあり(即ち、プルタブボデイ０１とプルタブ０２とが直角をなし、図２)、この場合、「ロック解除状態」にあり、図２は従来技術におけるジッパーのロック解除状態の模式図であり、即ち、スライダーは滑らかに褶動し得る。ただし、現在、ジッパーの閉じが完成した後でも、スライダーはまだ図２の状態にあり、主動に倒れることができないという状況が通常であり、このような状況によって、ジッパーがロック喪失になり、ジッパーが閉鎖力を失った後、服が滑り落ちて、運動を不便にして、体験が悪くなる。現在、このような市販のバネスライダーに対する改良は、ただプルタブ０２に対して変更し、改良方式は、プルタブ０２に「回」字状のストッパを追加して、プルタブ０２がまもなくプルタブボデイ０１と直角をなす状態までに引かれる際、ストッパがプルタブボデイ０１の上底板に接触することで跳ね返って、欠陥は、このような設計はプルタブ０２がちょうどプルタブボデイ０１と直角をなす際、そこに係止し、跳ね返ることができないことにある。
【０００４】
これに鑑みると、ジッパーが閉じられた後、スライダーが自動で跳ね返ることができないことによる、ジッパーがロック喪失になる問題を解決するために、本発明はスライダーを提供することを第１目的とし、本発明は、スライダーを有するジッパーを提供することを、第２目的とする。
【課題を解決するための手段】
【０００５】
前記第１目的を果たすために、本発明は以下の技術案を提供し：
プルタブと、プルタブボデイと、安全キャッチとを有するスライダーであって、前記プルタブボデイには上底板と下底板とが設けられ、前記上底板には対応配置される後部リベットボディユニットと前部リベットボディユニットとが設けられ、前記後部リベットボディユニットと前記前部リベットボディユニットとが装着室を形成し、前記プルタブが水平部と、前記水平部に接続される側柱とを有し、前記プルタブの水平部が前記装着室内に設けられるとともに、前記水平部自身の軸線に沿って回転し、前記安全キャッチがそれぞれ前記プルタブボデイと前記プルタブに接続されることでロックを実現でき、前記プルタブが前記前部リベットボディユニットに接触するまで回転した時、前記前部リベットボディユニットが前記プルタブの側柱に接触して、前記プルタブの反転を阻止する。
【０００６】
好ましくは、前記水平部の内端面には第１突起部が設けられ、前記第１突起部の上面から前記上底板までの間の距離が、前記装着室内の前記前部リベットボディユニットの上端面から前記上底板までの間の距離より大きい。
【０００７】
好ましくは、前記安全キャッチの前記前部リベットボディユニットに近接する側には、前記プルタブの回転を阻止するためのストッパが設けられ、前記水平部には、前記ストッパと係合する第２突起部が設けられる。
【０００８】
好ましくは、前記ストッパは前記安全キャッチの軸方向に沿って配置される。
【０００９】
好ましくは、前記ストッパと前記安全キャッチとが一体として配置される。
【００１０】
本発明はプルタブと、プルタブボデイと、安全キャッチとを有するスライダーを提供し、前記プルタブボデイには上底板と下底板とが設けられ、前記上底板には対応配置される後部リベットボディユニットと前部リベットボディユニットとが設けられ、前記後部リベットボディユニットと前記前部リベットボディユニットとが装着室を形成し、前記プルタブが水平部と、前記水平部に接続される側柱とを有し、前記プルタブの水平部が前記装着室内に設けられるとともに、前記水平部自身の軸線に沿って回転し、前記安全キャッチがそれぞれ前記プルタブボデイと前記プルタブに接続されることでロックを実現でき、前記プルタブが前記前部リベットボディユニットに接触するまで回転した時、前記前部リベットボディユニットが前記プルタブの側柱に接触して、前記プルタブの反転を阻止する。
【００１１】
本発明により提供されるスライダーを応用すれば、プルタブは後部リベットボディユニットを通過して回転し、前部リベットボディユニットに接触するまで回転した際、前部リベットボディユニットはプルタブの側柱に接触し、前部リベットボディユニットは側柱を阻止することで、プルタブの回転経路を遮断し、前部リベットボディユニットは回転するプルタブに付勢するから、プルタブが水平部を回転軸線として、スライダーの後端に跳ね返って、安全キャッチが下向きにロックされることによって、ジッパーをロックし、ジッパーを相応的な位置に固定させ、プルタブの跳ね返りを実現する。
【００１２】
前記第２目的を果たすために、本発明はさらに、テープと、エレメントと、蝶棒及び箱棒とを有するジッパーを提供し、該ジッパーはさらに前記いずれかのスライダーを有し、前記スライダーは前記技術効果を具備するから、該スライダーを有するジッパーも、相応的な技術効果を具備すべきである。
【図面の簡単な説明】
【００１３】
本発明の実施例または従来技術における技術案をより明らかに説明するために、以下は実施例または従来技術の記載にとって必要な図面を簡単に紹介し、明らかに、以下の記載における図面は本発明のいくつかの実施例のみであり、当業者にとって、進歩性に値する労働をしない前提で、これらの図面に応じて他の図面を取得できる。
【図１】従来技術におけるスライダーの構成模式図である。
【図２】従来技術におけるジッパーのロック解除状態の模式図である。
【図３】本発明の実施例におけるスライダーの構成模式図である。
【図４】本発明の実施例におけるプルタブの跳ね返りの構成模式図である。
【図５】本発明の実施例におけるプルタブの構成模式図である。
【図６】本発明の実施例における安全キャッチの構成模式図である。
【図７】本発明の実施例における第２突起部の構成模式図である。
【図８】本発明の実施例における安全キャッチの装着断面図である。
【発明を実施するための形態】
【００１４】
ジッパーが閉じられた後、スライダーが自動で跳ね返ることができないことによる、ジッパーがロック喪失になるという問題を解決するために、本発明の実施例はスライダーを開示する。
【００１５】
以下は本発明の実施例における図面を結合して、本発明の実施例における技術案を明らか且つ完全に記載し、明らかに、記載の実施例は全ての実施例ではなく、本発明の一部の実施例のみである。本発明の実施例に基づき、当業者は進歩性に値する労働をしない前提で取得する他の全ての実施例は、いずれも本発明の保護範囲に属している。
【００１６】
図３〜図８を参照し、図３は本発明の実施例におけるスライダーの構成模式図であり、図４は本発明の実施例におけるプルタブの跳ね返りの構成模式図であり、図５は本発明の実施例におけるプルタブの構成模式図であり、図６は本発明の実施例における安全キャッチの構成模式図であり、図７は本発明の実施例における第２突起部の構成模式図であり、図８は本発明の実施例における安全キャッチの装着断面図である。
【００１７】
具体的な実施形態において、本発明により提供されるスライダーは、プルタブ２と、プルタブボデイ１と、安全キャッチ９とを有し、プルタブボデイ１には上底板５と下底板６とが設けられ、上底板５には、対応配置される後部リベットボディユニット４と前部リベットボディユニット３とが設けられ、後部リベットボディユニット４と前部リベットボディユニット３とが装着室を形成し、プルタブ２は水平部と、水平部に接続される側柱とを有し、プルタブ２の水平部が装着室内に設けられるとともに、水平部自身の軸線に沿って回転し、安全キャッチ９はそれぞれプルタブボデイ１とプルタブ２に接続されることでロックを実現でき、プルタブ２が前部リベットボディユニット３に接触するまで回転した際、前部リベットボディユニット３がプルタブ２の側柱に接触することで、プルタブ２の反転を阻止する。
【００１８】
プルタブボデイ１と上底板５及び下底板６との接続方式について、従来技術を参照すればよく、上底板５には後部リベットボディユニット４と前部リベットボディユニット３とが設けられ、一般的に、後部リベットボディユニット４は２つの左側リベットボディを有し、同じように、前部リベットボディユニット３は２つの右側リベットボディを有し、２つの左側リベットボディと２つの右側リベットボディとが対称配置され、後部リベットボディユニット４と前部リベットボディユニット３とが装着室を形成し、プルタブ２が装着室に設けられ、プルタブ２の水平部が装着室に設けられるとともに、水平部の軸線に沿って回転することで、プルタブ２の反転を実現し、安全キャッチ９と、プルタブボデイ１及びプルタブ２との接続方式について、従来技術を参照すればよく、具体的に、右側リベットボディの、装着室に沿う軸方向の長さは、プルタブ２の側柱の位置に関して、プルタブ２が後部リベットボディユニット４を通過して回転し、前部リベットボディユニット３までに回転する際、プルタブ２の側柱が右側リベットボディに接触し、プルタブ２の反転を阻止する。
【００１９】
１つの実施例において、スライダーが服に装着され、使用されていない場合、プルタブ２がプルタブボデイ１の後端側に倒れて、プルタブ２を使用する際、プルタブボデイ１に垂直となるようにプルタブ２を持ち上げ、プルタブ２が、まもなくプルタブボデイ１の上底板５と直角を呈するように引かれる際、プルタブ２の側柱が前部リベットボディユニット３に接触することで、プルタブ２が直角を超えて回動することができず、プルタブ２が９０度に近接する際、スライダーの後端に傾倒して戻ることで、安全キャッチ９が改めて下向きにロックされ、ジッパーをロックする。
【００２０】
本発明により提供されるスライダーを応用すれば、プルタブ２は後部リベットボディユニット４を通過して回転し、前部リベットボディユニット３に接触するまで回転した際、前部リベットボディユニット３がプルタブ２の側柱に接触し、前部リベットボディユニット３が側柱を阻止することで、プルタブ２の回転路径を遮断し、前部リベットボディユニット３が回転するプルタブ２に付勢するから、プルタブ２が水平部を回転軸線として、スライダーの後端に跳ね返って、安全キャッチ９が下向きにロックされることで、ジッパーをロックし、ジッパーを相応的な位置に固定させ、プルタブ２の跳ね返りを実現する。
【００２１】
１つの実施例において、水平部の内端面には第１突起部７が設けられ、第１突起部７の上面から上底板５までの間の距離が、装着室内の前部リベットボディユニット３の上端面から、上底板５までの間の距離より大きい。理解できるのは、第１突起部７の上面と装着室内の前部リベットボディユニット３の上端面とが係合し、第１突起部７の上面から上底板５までの間の距離が、前部リベットボディユニット３の上端面から上底板５までの間の距離より大きく、後部リベットボディユニット４に比べると、装着室内の前部リベットボディユニット３の上端面部の厚さが増えることで、前記目的を果たし、後部リベットボディユニット４と前部リベットボディユニット３から形成された装着室について、好ましくは矩形室であり、無論、他の実施例において、円形室になるように配置されてもよく、実際必要に応じて配置すればよく、いずれも本発明の保護範囲に属して、理解できるのは、プルタブ２が埋め込まれるように保証するために、厚くされた前部リベットボディユニット３と上底板５との隙間距離は、プルタブ２の厚さより大きくなければならなくて、１つの実施例において、プルタブ２の両側に第１突起部７を追加することで、第１突起部７の大きさ及び位置は上底板５におけるリベットボディの位置に対応し、スライダーが服に装着される場合、プルタブ２を一定の位置に引いた後、プルタブ２はもうすぐ直角位置に回転する際、第１突起部７が装着室内の前部リベットボディユニット３の上面に触れて、引き続いて回転することができず、プルタブ２がスライダーの後端に跳ね返られ、その同時に、安全キャッチ９も下向きにロックされることで、ジッパーをロックし、ジッパーを相応的な位置に固定させ、プルタブ２の跳ね返りを実現する。
【００２２】
具体的に、安全キャッチ９の前部リベットボディユニット３に近接する側には、プルタブ２の回転を阻止するためのストッパ１０が設けられ、水平部には、ストッパ１０と係合する第２突起部８が設けられる。ストッパ１０は安全キャッチ９の軸線に沿う内側の下方に設けられてもよく、プルタブ２は、プルタブボデイ１と一定の角度（９０度以内）をなすまで起立する際、ストッパ１０はプルタブ２の水平部の中間にある第２突起部８に接触することで、プルタブ２がプルタブボデイ１の前端に傾倒することを阻止し、プルタブボデイ１の後端に傾倒させ、安全キャッチ９が下向きにロックされることで、ジッパーをロックし、服に対する固定を実現する。好ましくは、ストッパ１０は安全キャッチ９の軸方向に沿って配置され、第２突起部８の具体的な構成は、実際必要に応じて配置されてもよく、例えば突起ブロックなどがあり、突起ブロックがプルタブ２と一体として配置され、または溶接などの方式で固定されてもよく、実際必要に応じて配置されればよい。より好ましくは、加工を便利にするために、ストッパ１０と安全キャッチ９とが一体として配置される。
【００２３】
前記実施例により提供されるスライダーに基づき、本発明はさらに、テープと、エレメントと、蝶棒及び箱棒と、前記実施例のいずれかのスライダーとを有するジッパーを提供し、該ジッパーは前記実施例におけるスライダーを採用するから、該ジッパーの有益な効果について、前記実施例を参照すればよい。
【００２４】
最後で説明しようとするのは、本明細書において、第１、第２などのような関係用語は、これらの実体または操作の間には、いずれかこのような実際の関係または順序が存在するように要求しまたは暗示するとは限らなく、ただ１つの実体または操作と、他の実体または操作とを区別するために用いられる。そして、用語である「含む」、「包含」または他のいずれかの変体は非排他的な包含をカバーすることを目的とし、これによって、一連の要素を含む過程、方法、物品または機器は、これらの要素だけではなく、さらに明らかに挙げられていない他の要素、またはこのような過程、方法、物品または機器の固有の要素を含む。より多い限定がない場合、語句「１つの…………を含む」により限定される要素は、前記要素を含む過程、方法、物品または機器には、さらに他の同じ要素が含まれることを排除していない。
【００２５】
本明細書の各実施例に対して漸進という方式で記載し、各実施例が主に説明するのは、他の実施例との相違点であり、各実施例の間の同様または類似の部分について、互いに参照すればよい。
【００２６】
開示された実施例に対する前記説明によって、当業者は本発明を実現しまたは利用できる。これらの実施例に対する様々な補正は、当業者にとって自明であり、本明細書に定義された一般的な原理は、本発明の精神または範囲から逸脱しない場合、他の実施例において実現されることができる。従って、本発明は本明細書に開示されたこれらの実施例に限定されず、本明細書に開示された原理及び新規特点と一致する、最も幅広い範囲に合わせなければならない。
【符号の説明】
【００２７】
１  ・・・プルタブボデイ
２  ・・・プルタブ
３  ・・・前部リベットボディユニット
４  ・・・後部リベットボディユニット
５  ・・・上底板
６  ・・・下底板
７  ・・・第１突起部
８  ・・・第２突起部
９  ・・・安全キャッチ
１０  ・・・ストッパ
【図１】
2021513896.tif 000003
【図２】
2021513896.tif 000004
【図３】
2021513896.tif 000005
【図４】
2021513896.tif 000006
【図５】
2021513896.tif 000007
【図６】
2021513896.tif 000008
【図７】
2021513896.tif 000009
【図８】
2021513896.tif 000010
【国際調査報告】
2021513896.tif 000011
2021513896.tif 000012
2021513896.tif 000013
2021513896.tif 000014
2021513896.tif 000015